(57)【要約】      （修正有）【課題】貯水槽から零れた水が送風口に流れ込むことを防ぐと共に、送風口に流入する空気の乱流を低減し、騒音を低減する。【解決手段】ファン１１の回転によって箱型のボディ４内に外気を吸引し、この外気を、散水パイプ１６から散水され、冷却エレメント６、６によって形成される水の膜をくぐらせることによって冷却し、ボディの底部中央に設けた送風口３から下方に送風するようになした気化放熱式涼風装置であり、冷却エレメントの下部位置には貯水槽１４を設けている。そして、前記送風口は、その空気の入口側３ａを先端に行くに従って大きくなるように拡径し、ラッパ状になしている。【選択図】図２
0003117803.tif 000002
【実用新案登録請求の範囲】
【請求項１】
屋根に固定する枠状のベースと、底部中央に送風口を設けた箱型のボディと、該ボディの頂部に被着するトップカバーと、前記ボディの吸気口の内側に配設され、後記散水パイプによって散水された水の膜を形成する冷却エレメントと、該冷却エレメントの内側に配設されるフィルターと、循環使用する水の濾過を行うためのクリーニングポンプと、水を循環させるための循環ポンプと、前記送風口の周囲に取り付けたモータステーをもって前記ボディ内の中央部に配設され、ファンを前記送風口内において水平方向に回転させるファン駆動モータと、前記ボディの吸気口の外側に配設される吸気ルーバーパネルと、前記ボディ内の底部における前記冷却エレメントの下部位置に設けた貯水槽と、該貯水槽内の水の溢れ出しを防ぐフロートバルブと、前記冷却エレメントに散水させるための散水パイプと、途中部にドレーン用バルブを設けた前記貯水槽内の水を排出するための排水パイプと、前記ボディに設けた水道水の給水口等とをもって構成する気化放熱式涼風装置において、前記送風口を、その空気の入口側を先端に行くに従って大きくなるように拡径したことを特徴とする気化放熱式涼風装置。
【請求項２】
送風口の空気の入口側から出口側にかけての壁面を、外側に反り返るように全体的に縦断面略Ｕ字状に彎曲させてなる請求項１記載の気化放熱式涼風装置。
【請求項３】
送風口の空気の入口側から出口側にかけての壁面を、空気の入口側の先端部分を外側に反り返るように彎曲させると共に中間部を直線状とし、更に空気の出口側の端部を外側に反るよう彎曲させてなる請求項１記載の気化放熱式涼風装置。
【請求項４】
送風口の空気の入口側から出口側にかけての壁面を、外側に反り返るように彎曲させてなる請求項１記載の気化放熱式涼風装置。
【請求項５】
送風口の空気の入口側から出口側にかけての壁面を、直線状としてなる請求項１記載の気化放熱式涼風装置。
【考案の詳細な説明】
【技術分野】
【０００１】
本考案は気化放熱式涼風装置に関し、更に詳細には工場等の屋根に設置し、ファンの回転によって箱型のボディ内に外気を吸引し、この外気を、散水パイプから散水され、冷却エレメントによって形成される水の膜をくぐらせることによって冷却するようになした気化放熱式涼風装置に係わる。
【背景技術】
【０００２】
外気の温度の上昇と共に工場等の屋内は温度が高くなる。特に地球温暖化の影響によって夏期は外気温が異常なまでに上昇することが多く、この場合には屋内の作業環境は著しく悪くなり、作業員の疲労も大きくなって作業能率が低下し、また設置される各種機器に影響を及ぼす虞もある。
【０００３】
これらのことから、本考案者は先に図８乃至図１１に示した気化放熱式涼風装置を案出した。図８は該装置の一部切欠して示した正面図、図９は側面図、図１０は一部切欠して示した平面図、図１１は送風口部分の拡大斜視図である。
【０００４】
図において、１００は気化放熱式涼風装置である。また、該気化放熱式涼風装置１００は、屋根に固定する枠状のベース１０１と、底部中央に送風口１０２を設けた箱型のボディ１０３と、該ボディ１０３の頂部に被着するトップカバー１０４と、前記ボディ１０３の吸気口の内側に配設され、後記散水パイプによって散水された水の膜を形成する冷却エレメント１０５、１０５と、該冷却エレメント１０５、１０５の内側に配設されるフィルター１０６、１０６と、循環使用する水の濾過を行うためのクリーニングポンプ１０７と、水を循環させるための循環ポンプ１０８と、前記送風口１０２の周囲に取り付けたモータステー１０９、１０９をもって前記ボディ１０３内の中央部に配設され、ファン１１０を前記送風口１０２内において水平方向に回転させるファン駆動モータ１１１と、前記ボディ１０３の吸気口の外側に配設される吸気ルーバーパネル１１２、１１２と、前記ボディ１０３内の底部における前記冷却エレメント１０５、１０５の下部位置に設けた貯水槽１１３と、該貯水槽１１３内の水の溢れ出しを防ぐフロートバルブ１１４と、前記冷却エレメント１０５、１０５に散水するための散水パイプ１１５と、途中部にドレーン用バルブ１１６を設けた前記貯水槽１１３内の水を排出するための排水パイプ１１７と、前記ボディ１０３に設けた水道水の給水口１１８等とをもって構成される。尚、この他に貯水槽１１３中の水の腐敗やバクテリア等の繁殖を防ぐための薬液の注入装置（図示せず。）も場合によって配設される。
【０００５】
そしてまた、該気化放熱式涼風装置１００は、ファン１１０の回転によってボディ１０３内に外気を吸引し、この外気を、散水パイプ１１５から散水され、冷却エレメント１０５、１０５によって形成される水の膜の中をくぐらせることによって冷却するものである。そして冷却された空気はファン１１０によって送風口１０２から下方に送り込まれるものである。尚、送風口１０２に連設される送風ダクトは、図示を省略している。また、外気が水の膜をくぐるときに、冷却と共に除塵することができ、そして更に適度に加湿することもできるものである。
【０００６】
斯かる気化放熱式涼風装置１００の構成、並びに作用、効果は上記の通りであり、工場等の屋内の作業空間を冷却するという所期の目的とするところは充分に達成することができる。しかしながら、該装置には、使用するうちにいくつかの問題点があることも判明した。
【０００７】
そして、これらの問題点は、いずれも送風口１０２がストレートであること、即ち送風口１０２の空気の入口側１０２ａから空気の出口側にかけての径が同一の径であることによるものである。そしてこのことによる第１の問題点は、冷却エレメント１０５、１０５を伝い落ちる水が、その下部の貯水槽１１３に流れ落ちるときに水面を波立たせたり或いは一部が飛び散ったりして、その一部が貯水槽１１３から零れることがあり、そしてまたこのときファン１１０の回転によって送風口１０２に空気を吸引するように風の流れができていることから、この貯水槽１１３から零れた水が送風口１０２内に流れ込もうとすることである。そして、万一水が流れ込んだときには、屋内に冷気と共に水も垂れ落ちることになり、設置された各種機器類にかかる虞があることである。
【０００８】
第２の問題点は、ファン１１０の回転によってボディ１０３内に吸引された空気は、冷却エレメント１０５、１０５の水の膜をくぐって急な角度（直角に近い状態）で下方に流れが変わり、送風口１０２内に流入するが、送風口１０２は前記の通りストレートであり、空気の入口側１０２ａは空気の流れに対して直角に近い状態に立っているから、この空気の入口側１０２ａ内において流入した空気が乱流を起こし、騒音を発生させることである。
【考案の開示】
【考案が解決しようとする課題】
【０００９】
本考案は上記の点に鑑みなされたものであって、送風口を、その空気の入口側を先端に行くに従って大きくなるように拡径し、もって上記の問題点を悉く解消することができるようになした気化放熱式涼風装置を提供せんとするものである。
【課題を解決するための手段】
【００１０】
而して、本考案の要旨とするところは、屋根に固定する枠状のベースと、底部中央に送風口を設けた箱型のボディと、該ボディの頂部に被着するトップカバーと、前記ボディの吸気口の内側に配設され、後記散水パイプによって散水された水の膜を形成する冷却エレメントと、該冷却エレメントの内側に配設されるフィルターと、循環使用する水の濾過を行うためのクリーニングポンプと、水を循環させるための循環ポンプと、前記送風口の周囲に取り付けたモータステーをもって前記ボディ内の中央部に配設され、ファンを前記送風口内において水平方向に回転させるファン駆動モータと、前記ボディの吸気口の外側に配設される吸気ルーバーパネルと、前記ボディ内の底部における前記冷却エレメントの下部位置に設けた貯水槽と、該貯水槽内の水の溢れ出しを防ぐフロートバルブと、前記冷却エレメントに散水させるための散水パイプと、途中部にドレーン用バルブを設けた前記貯水槽内の水を排出するための排水パイプと、前記ボディに設けた水道水の給水口等とをもって構成する気化放熱式涼風装置において、前記送風口を、その空気の入口側を先端に行くに従って大きくなるように拡径したことを特徴とする気化放熱式涼風装置にある。
【００１１】
また、上記構成において、送風口の空気の入口側から出口側にかけての壁面を、外側に反り返るように彎曲させるか、或いは空気の入口側の先端部分を外側に反り返るように彎曲させると共に中間部を直線状とし、更に空気の出口側の端部を外側に反るよう彎曲させるか、又は外側に反り返るように全体的に縦断面略Ｕ字状に彎曲させるようになしてもよい。このようになした場合には、騒音の発生を大幅に低減させることができる。
【考案の効果】
【００１２】
本考案は上記の如き構成であり、送風口を、その空気の入口側を先端に行くに従って大きくなるように拡径したもの、即ちラッパ状になしたものであるから、壁面が水の進行を押し返すようなオーバーハングな状態となり、貯水槽から零れた水が送風口に流れ込むことを確実に阻止することができる。また、空気が冷却エレメントを通って送風口に流入するとき、送風口の空気の入口側は徐々に拡径してラッパ状になっているから、空気は内壁面に沿って円滑に送風口内に流れ込む。もって乱流を低減し、騒音を低減することができるものである。
【００１３】
また、送風口の空気の入口側から出口側にかけての壁面を、外側に反り返るように彎曲させるか、或いは空気の入口側の先端部分を外側に反り返るように彎曲させると共に中間部を直線状とし、更に空気の出口側の端部を外側に反るよう彎曲させるか、又は外側に反り返るように全体的に縦断面略Ｕ字状に彎曲させるようになしてもよい。このようになした場合には、一層乱流が低減し、騒音の発生を大幅に低減させることができる。
【考案を実施するための最良の形態】
【００１４】
本考案を実施するための最良の形態は、送風口をその空気の入口側を先端に行くに従って大きくなるように拡径し、ラッパ状になしたことにある。
【実施例】
【００１５】
以下、本考案の実施例について説明する。
図１は本考案の実施例の一部切欠して示した正面図、図２は一部切欠して示した平面図、図３は送風口部分の拡大斜視図、図４乃至図７は送風口部分の部分拡大断面図である。
【００１６】
本実施例は、前記本考案者が案出した気化放熱式涼風装置と基本的な構成並びに作用において同一である。即ち、該気化放熱式涼風装置１は、屋根に固定する枠状のベース２と、底部中央に送風口３を設けた箱型のボディ４と、該ボディ４の頂部に被着するトップカバー５と、前記ボディ４の吸気口の内側に配設され、後記散水パイプによって散水された水の膜を形成する冷却エレメント６、６と該冷却エレメント６、６の内側に配設されるフィルター７、７と、循環使用する水の濾過を行うためのクリーニングポンプ８と、水を循環させるための循環ポンプ９と、前記送風口３の周囲に取り付けたモータステー１０、１０をもって前記ボディ４内の中央部に配設され、ファン１１を前記送風口３内において水平方向に回転させるファン駆動モータ１２と、前記ボディ４の吸気口の外側に配設される吸気ルーバーパネル１３、１３と、前記ボディ４内の底部における前記冷却エレメント６、６の下部位置に設けた貯水槽１４と、該貯水槽１４内の水の溢れ出しを防ぐフロートバルブ１５と、前記冷却エレメント６、６に散水するための散水パイプ１６と、途中部にドレーン用バルブ１７を設けた前記貯水槽１４内の水を排出するための排水パイプ１８と、前記ボディ４に設けた水道水の給水口１９等とをもって構成されるものである。また、この他に貯水槽１４中の水の腐敗やバクテリア等の繁殖を防ぐための薬液の注入装置（図示せず。）も場合によって配設される。尚、作用についての説明は省略する。
【００１７】
而して、本実施例において特徴とするところは、送風口３を、その空気の入口側３ａを先端に行くに従って大きくなるように拡径したことにある。そしてまた、その入口側から出口側にかけての壁面は、図４乃至図７に示す如く構成される。図４は空気の入口側３ａから空気の出口側３ｂにかけての壁面３Ａを、直線状となしたものであり、また図５は外側に反り返るように彎曲させたものである。また図６は空気の入口側３ａの先端部分を外側に反り返るように彎曲させると共に中間部を直線状とし、更に空気の出口側３ｂの端部を外側に反るよう彎曲させたものであり、更にまた、図７は外側に反り返るように全体的に縦断面略Ｕ字状に彎曲させたものである。而して、図６及び図７に示した構成となした場合には、一層乱流が低減し、騒音の発生を大幅に低減させることができるものである。  また、図示はしないが、該送風口３の空気の入口側３ａの先端を外側にカールさせるようになしてもよく、このことにより、水を返す作用を一層向上させることができる。
【００１８】
而して、上記実施例によれば、送風口３は、その空気の入口側３ａが先端に行くに従って大きくなるように拡径され、ラッパ状になっているから、壁面が水の進行を押し返すようなオーバーハングな状態となり、貯水槽１４から零れた水は壁面によって押し返される。即ち、水が壁面を乗り越えることはない。もって貯水槽１４から零れた水が送風口に流れ込むことを確実に阻止することができるものである。また、空気が冷却エレメント６、６を通って送風口３に流入するとき、送風口３の空気の入口側３ａは上記の如くラッパ状になっているから、空気は内壁面に沿って円滑に送風口３内に流れ込むものである。したがって、送風口３内に流入する空気の乱流は低減され、騒音を低減することができるものである。
【図面の簡単な説明】
【００１９】
【図１】本考案の実施例の一部切欠して示した正面図である。
【図２】図１に示した実施例の一部切欠して示した平面図である。
【図３】図１に示した実施例の送風口部分の拡大斜視図である。
【図４】送風口の具体例の断面図である。
【図５】送風口の他の具体例の断面図である。
【図６】送風口の他の具体例の断面図である。
【図７】送風口の他の具体例の断面図である。
【図８】従来装置の一部切欠して示した正面図である。
【図９】従来装置の側面図である。
【図１０】従来装置の一部切欠して示した平面図である。
【図１１】従来装置の送風口部分の拡大斜視図である。
【符号の説明】
【００２０】
１  気化放熱式涼風装置
２  ベース
３  送風口
３Ａ  送風口の壁面
３ａ  送風口の空気の入口側
３ｂ  送風口の空気の出口側
４  ボディ
５  トップカバー
６、６  冷却エレメント
７、７  フィルター
９  循環ポンプ
１１  ファン
１２  ファン駆動モータ
１４  貯水槽
１６  散水バルブ
１８  排水パイプ
１９  給水口
【図１】
0003117803.tif 000003
【図２】
0003117803.tif 000004
【図３】
0003117803.tif 000005
【図４】
0003117803.tif 000006
【図５】
0003117803.tif 000007
【図６】
0003117803.tif 000008
【図７】
0003117803.tif 000009
【図８】
0003117803.tif 000010
【図９】
0003117803.tif 000011
【図１０】
0003117803.tif 000012
【図１１】
0003117803.tif 000013